(57)【要約】【課題】コストダウンが図れ、電気的な接続の確実性を向上させることが可能な錦糸線と配線との接続構造を有するスピーカー装置を提供する。【解決手段】スピーカー装置は、錦糸線及び配線の各々を固定する固定部を有する支持体を備えている。ここで、錦糸線は、ボイスコイルのリード線に電気的に接続されるのが好ましく、また、配線は、音声電流が出力されるアンプ側の出力配線と電気的に接続されるのが好ましい。そして、錦糸線と配線とは、固定部に固定された状態で直接的に接続されている。これにより、端子板及び端子金具を設けることなく、錦糸線と配線との電気的な接続の確実性を向上させることができると共に、端子板等を設けない分だけ部品点数を削減でき、スピーカー装置のコストダウンを図ることができる。【選択図】図５
2008042604.tif 000002
【特許請求の範囲】
【請求項１】
錦糸線及び配線の各々を固定する固定部を有する支持体を備え、
前記錦糸線と前記配線とは、前記固定部に固定された状態で直接的に接続されていることを特徴とするスピーカー装置。
【請求項２】
前記固定部は、複数の面を有する箱状及び凹状の形状に形成され、
前記複数の面のうち第１の面に設けられ、前記配線を挿通するための配線挿通穴と、
前記第１の面に設けられ、前記配線の一端側を固定するための配線固定部と、
前記第１の面に隣接する第２の面に設けられ、前記錦糸線を挿通するための錦糸線挿通穴と、
前記第２の面と対向する第３の面側に設けられ、前記錦糸線の一端側を固定する錦糸線固定部と、を有し、
前記錦糸線の一端側は、前記錦糸線挿通穴に挿通され、前記錦糸線固定部に固定されていると共に、前記配線の一端側は、前記配線挿通穴に挿通され、さらに前記錦糸線と絡むように前記第１の面側に折り返された状態で前記配線固定部に固定され、
前記配線と前記錦糸線との接続部分には半田付けがされていることを特徴とする請求項１に記載のスピーカー装置。
【請求項３】
前記配線固定部及び前記錦糸線固定部の各々はスリット形状に形成され、
前記配線は前記配線固定部に狭持されていると共に、前記錦糸線は前記錦糸線固定部に狭持されていることを特徴とする請求項２に記載のスピーカー装置。
【請求項４】
前記第１の面に対向する第４の面には、前記配線を仮固定するスリット形状の配線仮固定部が設けられていることを特徴とする請求項２に記載のスピーカー装置。
【請求項５】
前記固定部内に位置する前記錦糸線及び前記配線は、当該固定部内に保持された前記接着剤により固定されていることを特徴とする請求項２に記載のスピーカー装置。
【請求項６】
前記支持体は、外周部と、前記外周部の内側に設けられた内周部と、前記外周部と前記内周部とを連結するアーム部と、を有し、
前記固定部は、前記内周部に設けられていることを特徴とする請求項１又は２に記載のスピーカー装置。
【請求項７】
前記支持体は樹脂材料により形成されていることを特徴とする請求項１又は２に記載のスピーカー装置。
【発明の詳細な説明】
【技術分野】
【０００１】
本発明は、スピーカー装置における、錦糸線と配線の接続構造に関する。
【背景技術】
【０００２】
従来、ボイスコイルのリード線と電気的に接続された錦糸線と、コネクタ端子から引き出された配線との電気的な接続は、フレーム等に設けられた端子板の端子金具を通じて行うのが一般的であった（例えば、特許文献１を参照）。
【０００３】
なお、特許文献２には、ボイスコイルのリード線を振動板の面上に固定して錦糸線に半田付け接続し、そして、この錦糸線の他端側を端子に半田付け接続し、さらに、端子とコネクタ部とを接続した配線接続構造を有するスピーカー装置が記載されている。また、特許文献２に記載の配線接続構造と略同様の配線接続構造を有するスピーカー装置の一例が特許文献３に記載されている。また、音声電流を入力するためのケーブルのコネクタと、ボイスコイルに接続されたリード線との接続を端子部にて行う配線接続構造を有するスピーカー装置の一例が特許文献４に記載されている。
【０００４】
【特許文献１】特開平９−８４１６６号公報
【特許文献２】特開平８−７９８６６号公報
【特許文献３】特開平９−１３０８９０号公報
【特許文献４】特開平１１−３４１５７４号公報
【発明の開示】
【発明が解決しようとする課題】
【０００５】
しかしながら、上記の特許文献１に記載のスピーカー装置のように、錦糸線と配線との接続のために端子板を設けると、その分だけ、スピーカー装置のコストが高くなってしまうという問題がある。
【０００６】
本発明が解決しようとする課題としては、上記のようなものが例として挙げられる。本発明は、主として、コストダウンが図れ、電気的な接続の確実性を向上させることが可能な錦糸線と配線との接続構造を有するスピーカー装置を提供することを課題とする。
【課題を解決するための手段】
【０００７】
請求項１に記載の発明は、スピーカー装置であって、錦糸線及び配線の各々を固定する固定部を有する支持体を備え、前記錦糸線と前記配線とは、前記固定部に固定された状態で直接的に接続されていることを特徴とする。
【発明を実施するための最良の形態】
【０００８】
本発明の１つの実施形態では、スピーカー装置は、錦糸線及び配線の各々を固定する固定部を有する支持体を備え、前記錦糸線と前記配線とは、前記固定部に固定された状態で直接的に接続されている。
【０００９】
上記のスピーカー装置は、錦糸線及び配線の各々を固定する固定部を有する支持体を備えている。ここで、錦糸線は、ボイスコイルのリード線に電気的に接続されるのが好ましく、また、配線は、音声電流が出力されるアンプ側の出力配線と電気的に接続されるのが好ましい。そして、錦糸線と配線とは、固定部に固定された状態で直接的に接続されている。これにより、上記した先行技術のように端子板及び端子金具を設けることなく、錦糸線と配線との電気的な接続の確実性を向上させることができると共に、当該先行技術と比べ、その分だけ部品点数を削減でき、スピーカー装置のコストダウンを図ることができる。
【００１０】
上記のスピーカー装置の一つの態様では、前記固定部は、複数の面を有する箱状及び凹状の形状に形成され、前記複数の面のうち第１の面に設けられ、前記配線を挿通するための配線挿通穴と、前記第１の面に設けられ、前記配線の一端側を固定するための配線固定部と、前記第１の面に隣接する第２の面に設けられ、前記錦糸線を挿通するための錦糸線挿通穴と、前記第２の面と対向する第３の面側に設けられ、前記錦糸線の一端側を固定する錦糸線固定部と、を有し、前記錦糸線の一端側は、前記錦糸線挿通穴に挿通され、前記錦糸線固定部に固定されていると共に、前記配線の一端側は、前記配線挿通穴に挿通され、さらに前記錦糸線と絡むように前記第１の面側に折り返された状態で前記配線固定部に固定され、前記配線と前記錦糸線との接続部分には半田付けがされている。
【００１１】
かかる態様により、万が一、配線及び／又は錦糸線に対して引っ張りによる外力等が作用した場合でも、配線及び錦糸線が固定部から離脱し難くなる。
【００１２】
即ち、かかる態様によれば、配線の一端側は、配線挿通穴に挿通され、さらに錦糸線と絡むように第１の面側に折り返された状態で配線固定部に固定されている。そのため、配線に引っ張りによる外力（固定部の突出方向への引っ張りによる外力を含む）が作用した場合でも、配線が固定部から離脱し難くなる。一方、錦糸線の一端側は、錦糸線挿通穴に挿通され、錦糸線固定部に固定されている。そのため、錦糸線に引っ張りによる外力（固定部の突出方向への引っ張りによる外力を含む）が作用した場合でも、錦糸線が固定部から離脱し難くなる。ここで、もし、配線挿通穴及び錦糸線挿通穴に相当する部分がＵ字状のスリット形状に夫々形成されていた場合を想定すると、配線及び錦糸線に対して、固定部の突出方向への引っ張りによる外力が作用した場合には、当該配線及び当該錦糸線は固定部から容易に離脱してしまう恐れがあるが、この態様によれば、そのような不具合は生じない。
【００１３】
また、この態様によれば、配線の一端側は、錦糸線と絡むように第１の面側に折り返されているので、そのように折り返されないで配線の一端側と錦糸線とが接続されたものと比較して、配線と錦糸線との接続部分の接触面積を増やすことができると共に、その両者の電気的な接続の確実性を向上させることができる。
【００１４】
好適な例では、前記支持体は、外周部と、前記外周部の内側に設けられた内周部と、前記外周部と前記内周部とを連結するアーム部と、を有し、前記固定部は、前記内周部に設けられているのが好ましい。また、好適な例では、支持体は樹脂材料により形成されているのが好ましい。これにより、工数を増加させることなく容易に固定部を形成することが可能となる。
【００１５】
上記のスピーカー装置の他の態様では、前記配線固定部及び前記錦糸線固定部の各々はスリット形状に形成され、前記配線は前記配線固定部に狭持されていると共に、前記錦糸線は前記錦糸線固定部に狭持されている。これにより、配線を容易且つ確実に配線固定部に固定することができると共に、錦糸線を容易且つ確実に錦糸線固定部に固定することができる。
【００１６】
上記のスピーカー装置の他の態様では、前記第１の面に対向する第４の面には、前記配線を仮固定するスリット形状の配線仮固定部が設けられている。これにより、錦糸線を錦糸線仮固定部に仮固定することができる。そうすると、スピーカー装置の製造過程において、配線の一端側を、配線仮固定部から離脱し、さらに錦糸線と絡むように第１の面側に折り返し、さらに配線固定部に挟持させつつ固定することが容易となる。
【００１７】
上記のスピーカー装置の他の態様では、前記固定部内に位置する前記錦糸線及び前記配線は、当該固定部内に保持された前記接着剤により固定されている。これにより、固定部において錦糸線と配線との固定がより強固なものになると共に、錦糸線と配線との接続部分の保護が図れ、その両者が電気的に非接続状態となるのを防止できる。
【実施例】
【００１８】
以下、図面を参照して本発明の好適な実施例について説明する。
【００１９】
［スピーカー装置の構成］
図１は、本発明の実施例に係る、錦糸線と配線の接続構造を有するスピーカー装置１００を、その中心軸Ｌ１を通る平面で切断したときの断面図を示す。
【００２０】
スピーカー装置１００は、図１に示すように、磁気回路３０と、振動系部材３１と、を備えている。なお、本発明では、スピーカー装置の構成及び駆動方式等は以下に述べるものに限定されるものではない。
【００２１】
まず、磁気回路３０の構成は次の通りである。
【００２２】
本磁気回路３０は、ヨーク１、マグネット２及びプレート３を有している。
【００２３】
ヨーク１は、略円柱状の形状を有するセンターポール１ａと、センターポール１ａの外周壁の下端部から外側に且つ斜め上方に延在するように形成されたフランジ部１ｂと、を有する。マグネット２は、環状の形状を有し、フランジ部１ｂ上に取り付けられている。プレート３は、環状の形状を有し、マグネット３上に取り付けられている。センターポール１ａとプレート３の間にはマグネット２の磁束が集中する磁気ギャップ３２が形成されている。
【００２４】
次に、振動系部材３１の構成は次の通りである。
【００２５】
振動系部材３１には、支持体４、ボイスコイルボビン５、ボイスコイル６、ダンパー７、振動板８、エッジ９、及びキャップ１０が含まれる。
【００２６】
支持体４は、スピーカー装置１００の様々な構成要素を支持するフレームとしての機能を有する。支持体４の下端部は、プレート３上に取り付けられている。なお、支持体４の詳細な構成は後述する。また、本例では、支持体４はスピーカー装置用のフレームとして構成されているが、本発明では、これに限定されず、支持体４は、スピーカー装置用のブラケットや、スピーカーボックスなどであっても構わない。
【００２７】
ボイスコイルボビン５は、円筒状の形状を有し、センターポール１ａの外周壁の上端部を覆う位置に配置されている。
【００２８】
ボイスコイル６は、１対のプラス及びマイナスのリード線（図示略）を有し、ボイスコイルボビン５の外周壁の下端部に巻かれている。このため、ボイスコイル６は、磁気ギャップ３２内に配置されている。ここで、プラス側のリード線はＬ（又はＲ）チャンネル信号の入力配線であり、マイナス側のリード線はグランド（ＧＮＤ：接地）信号の入力配線である。各リード線は、１対のプラス及びマイナスの錦糸線１１、即ち、１つのプラスの錦糸線１１ａ及び１つのマイナスの錦糸線１１ｂ（図５（ｂ）を参照）に夫々電気的に接続され、また、プラスの錦糸線１１ａ及びマイナスの錦糸線１１ｂは、１対のプラス及びマイナスの配線（コード）１６、即ち、１つのプラスの配線１６ａ及び１つのマイナスの配線１６ｂ（図５を参照）に夫々電気的に接続されている。さらに、１つのプラスの配線１６ａ及び１つのマイナスの配線１６ｂは、支持体４に設けられ、アンプ側の１対のプラス及びマイナスの出力配線に電気的に接続されるコネクタ端子４ｆ（図３及び図５等を参照）に夫々電気的に接続されている。これにより、ボイスコイル６には、コネクタ端子４ｆ、一対のプラス及びマイナスの配線１６、一対のプラス及びマイナスの錦糸線１１、及び、一対のプラス及びマイナスのリード線を介して、アンプ側から１チャンネル分の信号及び電力（以下、単に「音声電流」とも称する）が夫々入力される。
【００２９】
ダンパー７は、ボイスコイルボビン５を弾性的に支持する。ダンパー７は、環状の形状を有し、同心円状の複数の波形形状（コルゲーション）を備えて構成される。ダンパー７の内周縁部はボイスコイルボビン５の外周壁の上端部付近に取り付けられている一方、ダンパー７の外周縁部は支持体４の中央部付近に取り付けられている。
【００３０】
振動板８は、コーン状の形状をなし、入力信号に応じた音波を放射する機能を有する。振動板８の内周縁部はボイスコイルボビン５の外周壁の上端部に取り付けられている。
【００３１】
エッジ９は、環状の形状及びΩ状の断面形状を有し、振動板７で生じる不要な振動などを吸収する機能を有する。エッジ９の内周縁部は振動板８の外周縁部に取り付けられる一方、エッジ９の外周縁部は支持体４の上端部に取り付けられている。
【００３２】
キャップ１０は、ドーム形状を有し、スピーカー装置１００の内部に粉塵等の侵入を防止する機能を有する。キャップ１０は、ボイスコイルボビン５の上面側を覆う位置に取り付けられている。
【００３３】
以上の構成を有するスピーカー装置１００では、アンプ側から出力された音声電流は、上述した経路を辿ってボイスコイル６へ入力される。これにより、フレミングの左手の法則に基づき、磁気ギャップ３２内でボイスコイル６に駆動力が発生し、振動板８をスピーカー装置１００の中心を通る中心軸Ｌ１方向へ振動させる。これにより、振動板８を通じて矢印Ｙ１方向に音波が放射される。
【００３４】
（支持体における錦糸線と配線の接続構造）
まず、図２乃至図４を参照して、支持体４の構成について詳述する。
【００３５】
図２（ａ）は、図１の矢印Ｙ１方向から見た支持体４の背面側の斜視図を示す。図２（ｂ）は、図１の矢印Ｙ１方向と逆方向から見た支持体４の正面図を示す。図３（ａ）は、図２（ａ）の矢印Ｙ３方向から見た支持体４の側面図を示す。図３（ｂ）は、図２（ａ）の矢印Ｙ４方向から見た支持体４の側面図を示す。図４は、図２（ａ）の破線領域Ｅ１に対応する部分を拡大した要部拡大斜視図であり、特に、錦糸線１１と配線１６とを固定するための固定部４ｄ付近を拡大して示す。
【００３６】
支持体４は、好適な例では樹脂材料により形成され、振動板８を取り囲む位置に設けられる外周部４ａと、外周部４ａの内側に設けられ、磁気回路３０等を支持する内周部４ｂと、当該支持体４の周方向に適宜の間隔をおいて設けられ、外周部４ａと内周部４ｂを連結する複数のアーム部４ｃと、を備えている。
【００３７】
外周部４ａは、略環状の形状及び枠状の形状を有し、振動板８と連結されたエッジ９の外周部を支持する役割を有する。外周部４ａには、上述したコネクタ端子４ｆが設けられている。
【００３８】
内周部４ｂは、略環状の形状を有し、外周部４ａ側へ張り出すように設けられ、錦糸線１１と配線１６とを固定する役割を有する複数の固定部４ｄを備える張り出し部４ｘと、図５（ａ）に示すように、各固定部４ｄから夫々導出された一対のプラス及びマイナスの配線１６をコネクタ端子４ｆ側へ案内すると共に、一対のプラス及びマイナスの配線１６の各部分を固定する、凹状の複数の配線案内部４ｅと、を備えている。
【００３９】
複数の固定部４ｄは、振動板８と逆側の位置に設けられている。複数の固定部４ｄのうち、一方の固定部４ｄと、他方の固定部４ｄとは、張り出し部４ｘにおいて、その中心を通る仮想直線Ｌ２に対して対称的な形状を有するように設けられている。各固定部４ｄは、一定量の接着剤を保持する箱状及び凹状の形状に形成され、張り出し部４ｘから振動板８と逆側へ突出する複数の面を有する。ここで、複数の面には、第１の面４１と、第１の面４１に隣接する位置に且つ連なるように設けられた第２の面４２と、第１の面４１に隣接する位置に且つ連なるように設けられると共に、第２の面４２に対向する位置に設けられた第３の面４３と、第２の面４２及び第３の面４３に夫々隣接する位置に且つ連なるように設けられると共に、第１の面４１に対向する位置に設けられた第４の面４４と、が含まれる。また、本例では、第１の面４１は内周部４ｂ側に設けられていると共に、第３の面４３は張り出し部４ｘの中心を通る仮想直線Ｌ２側に設けられている。
【００４０】
第１の面４１は、プラスの配線１６ａ又はマイナスの配線１６ｂを挿通するための配線挿通穴４１ａと、凹状及びＵ字状のスリット形状に形成され、プラスの配線１６ａの一端側又はマイナスの配線１６ｂの一端側を挟持した状態で固定するための配線固定部４１ｂと、を有する。第２の面４２は、プラスの錦糸線１１ａ又はマイナスの錦糸線１１ｂを挿通するための錦糸線挿通穴４２ａを有する。第３の面４３は、凹状及びＵ字状のスリット形状に形成され、プラスの錦糸線１１ａの一端側又はマイナスの錦糸線１１ｂの一端側を挟持した状態で固定するための錦糸線固定部４３ａを有する。第４の面４４は、凹状及びＵ字状のスリット形状に形成され、プラスの配線１６ａの一端側又はマイナスの配線１６ｂの一端側を仮固定するための配線仮固定部４４ａを有する。
【００４１】
次に、図５を参照して、上記した構成を有する支持体４における、錦糸線１１と配線１６の接続構造について説明する。
【００４２】
図５（ａ）は、図１の矢印Ｙ１方向から見たスピーカー装置１００の背面側斜視図を示す。図５（ｂ）は、図５（ａ）の破線領域Ｅ２付近を拡大したスピーカー装置１００の要部拡大斜視図であり、特に、固定部４ｄにおける、錦糸線１１と配線１６の接続構造を示す。
【００４３】
一対のプラス及びマイナスの錦糸線１１の各一端側は、それぞれ、第２の面４２の外側から第３の面４３側にかけて各錦糸線挿通穴４２ａに挿通され、さらに略直角に折り曲げられた状態で各錦糸線固定部４３ａに狭持された状態で固定されている。なお、一対のプラス及びマイナスの錦糸線１１の各他端側は、図示を省略するが、ボイスコイル６の一対のプラス及びマイナスのリード線と夫々電気的に接続されている。
【００４４】
一方、一対のプラス及びマイナスの配線１６の各一端側は、それぞれ、第１の面４１の外側から第４の面４４側にかけて各配線挿通穴４１ａに挿通され、さらに一対のプラス及びマイナスの錦糸線１１と接触するように且つ絡むように第１の面４１側に折り返され、各配線固定部４１ｂに挟持された状態で固定されている。
【００４５】
これにより、プラスの錦糸線１１ａとプラスの配線１６ａとは、固定部４ｄに固定された状態で直接的に接続されていると共に、マイナスの錦糸線１１ｂとマイナスの配線１６ｂとは、固定部４ｄに固定された状態で直接的に接続されている。そして、一対のプラス及びマイナスの錦糸線１１と、一対のプラス及びマイナスの配線１６との接続部分（破線領域Ｅ３の部分）には半田付け（図示略）がされている。さらに、各固定部４ｄ内には図示しない接着剤が塗布され、各固定部４ｄ内に位置する錦糸線１１及び配線１６は、当該固定部４ｄ内に保持された接着剤により固定されている。
【００４６】
ここで、図６を参照して、支持体４の固定部４ｄにおける、錦糸線１１と配線１６との接続方法について説明する。
【００４７】
図６（ａ）〜図６（ｄ）は、支持体４の固定部４ｄのみを拡大した要部拡大斜視図であり、錦糸線１１と配線１６との接続方法を示す各工程図である。
【００４８】
まず、図６（ａ）に示すように、配線１６の一端側を、第１の面４１の外側から第４の面４４側にかけて移動させつつ配線挿通穴４１ａに挿通する（配線挿通工程）。次に、図６（ｂ）に示すように、配線１６の一端側を配線仮固定部４４ａに挟持させつつ仮固定する（配線仮固定工程）。次に、図６（ｂ）に示すように、錦糸線１１の一端側を、第２の面４２の外側から第３の面４３側にかけて移動させつつ錦糸線挿通穴４２ａに挿通する（錦糸線挿通工程）。次に、図６（ｂ）に示すように、錦糸線１１の一端側を、さらに第３の面４３側に移動させつつ配線１６上を跨がらせ、さらに略直角に折り曲げて錦糸線固定部４３ａに挟持させつつ固定する（錦糸線固定工程）。特に、この錦糸線固定工程では、上記の配線仮工程により、錦糸線１１の一端側を配線１６上に容易に跨らせることが可能となる。次に、図６（ｃ）に示すように、配線１６の一端側を、配線仮固定部４４ａから離脱し、続いて錦糸線１１と絡むように第１の面４１側に折り返し、続いて配線固定部４１ｂに挟持させつつ固定する（配線固定工程）。次に、図６（ｄ）に示すように、錦糸線１１と配線１６との接続部分（破線領域Ｅ３の部分）に半田付け（図示略）を行う（半田付け工程）。次に、図６（ｄ）において、固定部４ｄ内に一定量の接着剤（図示略）を塗布し、続いて、その接着剤を乾燥させ、錦糸線１１と配線１６との接続部分を当該接着剤により固定及び保護する（接着剤塗布工程）。
【００４９】
以上の各工程を経ることにより、錦糸線１１と配線１６とを固定部４ｄに容易且つ確実に固定することができると共に、その両者の電気的な接続を確実なものとすることができる。
【００５０】
次に、比較例と比較した、本発明の実施例に係る支持体４における、錦糸線１１と配線１６との接続構造に関する有利な点について述べる。
【００５１】
まず、図７を参照して、比較例に係るスピーカー装置５０における錦糸線１１と配線１６との接続構造について説明する。図７は、比較例に係る、錦糸線１１と配線１６との接続構造を示すスピーカー装置５０の要部拡大斜視図である。なお、以下では、本実施例と同一の要素については同一の符号を付し、その説明は省略する。
【００５２】
比較例に係るスピーカー装置５０は、支持体４にハトメ１９を通じて取り付けられる端子板１７と、端子板１７に取り付けられた一対のプラス及びマイナスの端子金具１８と、を有する。一対のプラス及びマイナスの錦糸線１１の各一端側は、対応する各端子金具１８に夫々電気的に接続されていると共に、一対のプラス及びマイナスの錦糸線１１の各他端側は、図示を省略するが、ボイスコイル６の一対のプラス及びマイナスのリード線に夫々電気的に接続されている。一方、アンプ側の出力配線と電気的に接続されるコネクタ端子４ｆ（図示略）から引き出された一対のプラス及びマイナスの配線１６の各一端側は、対応する各端子金具１８に夫々電気的に接続されている。
【００５３】
これにより、比較例では、一対のプラス及びマイナスの配線１６と、一対のプラス及びマイナスの錦糸線１１とが、端子板１７に設けられた各端子金具１８を通じて夫々電気的に接続された接続構造を有している。
【００５４】
かかる接続構造を有する比較例では、錦糸線１１と配線１６との接続のために別部材たる端子板１７及び端子金具１８を設けているので、その分だけ、スピーカー装置５０のコストが高くなってしまうという問題がある。
【００５５】
この点、本発明の実施例に係るスピーカー装置１００は、錦糸線１１及び配線１６の各々を固定する固定部４ｄを有する支持体４を備え、錦糸線１１と配線１６とは、固定部４ｄに固定された状態で直接的に接続されている。これにより、端子板１７及び端子金具１８を設けることなく、錦糸線１１と配線１６との電気的な接続の確実性を向上させることができると共に、比較例と比べ、その分だけ部品点数を削減でき、スピーカー装置１００のコストダウンを図ることができる。
【００５６】
また、固定部４ｄは、複数の面を有する箱状の形状に形成され、その複数の面のうち第１の面４１に設けられ、配線１６を挿通するための配線挿通穴４１ａと、第１の面４１ａに設けられ、配線１６の一端側を固定するための配線固定部４１ｂと、第１の面４１に隣接する第２の面４２に設けられ、錦糸線１１を挿通するための錦糸線挿通穴４２ａと、第２の面４２と対向する第３の面４３側に設けられ、錦糸線１１の一端側を固定する錦糸線固定部４３ａと、を有し、錦糸線１１の一端側は、錦糸線挿通穴４２ａに挿通され、錦糸線固定部４３ａに固定されていると共に、配線１６の一端側は、配線挿通穴４１ａに挿通され、さらに錦糸線１１と絡むように第１の面４１側に折り返された状態で配線固定部４１ｂに固定され、配線１６と錦糸線１１との接続部分（破線領域Ｅ３の部分）には半田付け（図示略）がされている。
【００５７】
かかる構成により、万が一、配線１６及び／又は錦糸線１１に対して引っ張りによる外力等が作用した場合でも、配線１６及び錦糸線１１が固定部４ｄから離脱し難くなる。
【００５８】
即ち、かかる構成によれば、配線１６の一端側は、配線挿通穴４１ａに挿通され、さらに錦糸線１１と絡むように第１の面４１側に折り返された状態で配線固定部４１ｂに固定されている。そのため、配線１６に引っ張りによる外力（固定部４ｄの突出方向、換言すれば振動板８と逆側、即ち、図５（ｂ）において紙面手前側への引っ張りによる外力を含む）が作用した場合でも、配線１６が固定部４ｄから離脱し難くなる。一方、錦糸線１１の一端側は、錦糸線挿通穴４２ａに挿通され、錦糸線固定部４３ａに固定されている。そのため、錦糸線１１に引っ張りによる外力（固定部４ｄの突出方向への引っ張りによる外力を含む）が作用した場合でも、錦糸線が固定部４ｄから離脱し難くなる。ここで、もし、図５（ｂ）において、配線挿通穴４１ａ及び錦糸線挿通穴４２ａがＵ字状のスリット形状に夫々形成されていた場合を想定すると、配線１６及び錦糸線１１に対して、固定部４ｄの突出方向への引っ張りによる外力が作用した場合には、当該配線１６及び当該錦糸線１１は固定部４ｄから容易に離脱してしまう恐れがあるが、本実施例の接続構造によれば、そのような不具合は生じない。
【００５９】
また、配線１６の一端側は、錦糸線１１と絡むように第１の面４１側に折り返されているので、そのように折り返されないで配線１６の一端側と錦糸線１１とが接続されたものと比較して、配線１６と錦糸線１１との接続部分の接触面積を増やすことができると共に、その両者の電気的な接続の確実性を向上させることができる。
【００６０】
また、配線固定部４１ｂ及び錦糸線固定部４３ａの各々はスリット形状に形成され、配線１６は配線固定部４１ｂに狭持されていると共に、錦糸線１１は錦糸線固定部４３ａに狭持されている。これにより、配線１６を容易且つ確実に配線固定部４１ｂに固定することができると共に、錦糸線１１を容易且つ確実に錦糸線固定部４３ａに固定することができる。
【００６１】
また、固定部４ｄの第１の面４１に対向する第４の面４４には、配線１６を仮固定する錦糸線仮固定部４４ａが設けられている。これにより、錦糸線１１を錦糸線仮固定部４４ａに仮固定することができる。そうすると、その後の上記した配線固定工程において、配線１６の一端側を、配線仮固定部４４ａから離脱し、さらに錦糸線１１と絡むように第１の面４１側に折り返し、さらに配線固定部４１ｂに挟持させつつ固定することが容易となる。
【００６２】
また、固定部４ｄは、一定量の接着剤（図示略）を保持する凹状の形状に形成され、固定部４１内に位置する錦糸線１１及び配線１６は、当該固定部４ｄ内に保持された接着剤により固定されている。これにより、固定部４ｄにおいて錦糸線１１と配線１６との固定がより強固なものになると共に、錦糸線１１と配線１６との接続部分の保護が図れ、その両者が電気的に非接続状態となるのを防止できる。
【００６３】
好適な例では、支持体４は樹脂材料により形成されているのが好ましい。これにより、工数を増加させることなく容易に固定部４ｄを形成することが可能となる。
【図面の簡単な説明】
【００６４】
【図１】本発明の実施例に係る錦糸線と配線の接続構造を有するスピーカー装置の構成を示す断面図である。
【図２】本発明の実施例に係る支持体の背面側斜視図及び正面図である。
【図３】本発明の実施例に係る支持体の各種側面図である。
【図４】支持体に設けられた錦糸線と配線を固定する固定部の要部拡大斜視図である。
【図５】本実施例の固定部における錦糸線と配線の接続構造を示す背面側斜視図及び要部拡大斜視図である。
【図６】本実施例の固定部における錦糸線と配線の接続方法を示す各工程図である。
【図７】比較例に係るスピーカー装置における錦糸線と配線の接続構造を示す要部拡大斜視図である。
【符号の説明】
【００６５】
４  支持体
４ｂ  内周部
４ｄ  固定部
４ｆ  コネクタ端子
４１  第１の面
４１ａ  配線挿通穴
４１ｂ  配線固定部
４２  第２の面
４２ａ  錦糸線挿通穴
４３  第３の面
４３ａ  錦糸線固定部
４４  第４の面
４４ａ  錦糸線仮固定部
６  ボイスコイル
８  振動板
１１  錦糸線
１６  配線
１００  スピーカー装置
【図１】
2008042604.tif 000003
【図２】
2008042604.tif 000004
【図３】
2008042604.tif 000005
【図４】
2008042604.tif 000006
【図５】
2008042604.tif 000007
【図６】
2008042604.tif 000008
【図７】
2008042604.tif 000009